(57)【要約】【課題】  シートサイズにかかわらず、給送回転体を的確なタイミングで退避位置へ移動させることが可能なシート給送装置及びこれを備えた読取装置並びに画像形成装置を提供する。【解決手段】  載置部に載置されたシートを給送する給送回転体５と、シート幅方向のサイズを検知するサイズ検知手段と、第１部材８ａと第２部材８ｂのニップ領域を通過するシートの先端を検知する先端検知手段９とを有し、前記サイズ検知手段により検知されたシートサイズに応じ、給送回転体により給送されるシートが前記先端検知手段の検知領域を通過する場合はその検知に基づいて給送回転体を退避位置に移動させ、給送されるシートが前記検知領域を通過しない場合は給送回転体によるシートの給送開始から所定時間経過後に給送回転体を退避位置に移動させる。【選択図】  図６
2020075820.tif 000002
【特許請求の範囲】
【請求項１】
給送されるシートの給送方向と直交するシート幅方向のサイズを検知するサイズ検知手段と、
載置部に載置されたシートを給送する給送回転体と、前記給送回転体により給送されたシートを搬送する搬送手段と、を有する搬送機構と、
前記搬送手段に到達したシートの先端を検知する先端検知手段と、
前記搬送機構を制御する制御部と、
を有し、
前記先端検知手段は、前記シート幅方向において前記搬送手段とずれた位置に配置され、
前記制御部は、前記サイズ検知手段により検知されたシートサイズに応じ、前記給送回転体により給送されるシートが前記先端検知手段の検知領域を通過する場合は前記搬送機構を前記先端検知手段の検知に基づく第１の制御で制御し、給送されるシートが前記検知領域を通過しない場合は前記先端検知手段の検知に基づかない前記搬送機構を第２の制御で制御することを特徴とするシート給送装置。
【請求項２】
給送されるシートの給送方向と直交するシート幅方向のサイズを検知するサイズ検知手段と、
載置部に載置されたシートを給送する給送回転体と、
前記給送回転体を前記載置部に載置されたシートに当接する給送位置と、前記シートから離間する退避位置とに移動可能な移動手段と、
前記給送回転体により給送されたシートを搬送する搬送手段と、
前記搬送手段に到達したシートの先端を検知する先端検知手段と、
前記移動手段の駆動を制御する制御部と、
を有し、
前記先端検知手段は、前記シート幅方向において前記搬送手段とずれた位置に配置され、
前記制御部は、前記サイズ検知手段により検知されたシートサイズに応じ、前記給送回転体により給送されるシートが前記先端検知手段の検知領域を通過する場合は前記先端検知手段による検知に基づいて前記給送回転体を前記退避位置に移動させ、給送されるシートが前記検知領域を通過しない場合は前記給送回転体によるシートの給送開始から所定時間経過後に前記給送回転体を前記退避位置に移動させることを特徴とするシート給送装置。
【請求項３】
前記搬送手段は、シートを第１部材と第２部材でニップして搬送し、
前記先端検知手段は、前記第１部材と第２部材のニップ領域における前記シート幅方向の延長線上に位置する検知領域を通過するシートの先端を検知することを特徴とする請求項２に記載のシート給送装置。
【請求項４】
前記シート幅方向のサイズが異なる複数のシートが給送される混載モードを有し、
前記制御部は、前記混載モードの場合、前記サイズ検知手段による検知結果にかかわらず前記給送回転体によるシートの給送開始から所定時間経過後に前記給送回転体を前記退避位置に移動させることを特徴とする請求項２記載のシート給送装置。
【請求項５】
前記シート幅方向のサイズが異なる複数のシートが給送される混載モードを有し、
前記制御部は、前記混載モードにおいて、前記給送回転体によるシートの給送開始から所定時間経過後に前記給送回転体を前記退避位置に移動させ、前記所定時間の経過前に前記先端検知手段が給送されるシートの先端を検知した場合は、前記先端検知手段による検知に基づいて前記給送回転体を前記退避位置に移動させることを特徴とする請求項２記載のシート給送装置。
【請求項６】
前記所定時間は、前記給送回転体による前記シートの給送動作の開始から給送されたシートの先端が前記搬送手段に到達するまでの時間であることを特徴とする請求項２乃至請求項５のいずれか１項に記載のシート給送装置。
【請求項７】
前記第１部材は、前記給送回転体によって給送されるシートをシート給送方向の下流へ搬送する方向に回転する分離ローラであり、
前記第２部材は、前記シートをシート給送方向の上流に戻す方向に回転するリタードローラである
ことを特徴とする請求項３乃至請求項６のいずれか１項に記載のシート給送装置。
【請求項８】
前記第１部材は、前記給送回転体によって給送されるシートをシート給送方向の下流へ搬送する方向に回転する分離ローラであり、
前記第２部材は、前記シートを前記分離ローラに押圧する分離部材である
ことを特徴とする請求項３乃至請求項６のいずれか１項に記載のシート給送装置。
【請求項９】
前記第１部材及び前記第２部材は、前記給送回転体によって給送されるシートをシート給送方向の下流へ搬送する方向に回転する搬送ローラ対であることを特徴とする請求項３乃至請求項６のいずれか１項に記載のシート給送装置。
【請求項１０】
前記ニップ領域は、前記第１部材と前記第２部材とが接触している領域であることを特徴とする請求項３乃至請求項９のいずれか１項に記載のシート給送装置。
【請求項１１】
前記サイズ検知手段は、前記載置部に載置されたシートのサイズを検知することを特徴とする請求項２乃至請求項１０のいずれか１項に記載のシート給送装置。
【請求項１２】
給送されるシートの給送方向と直交するシート幅方向のサイズを検知するサイズ検知手段と、
載置部に載置されたシートを給送する給送回転体と、
前記給送回転体により給送されたシートを搬送する搬送手段と、
前記搬送手段に到達したシートの先端を検知する先端検知手段と、
前記給送回転体及び前記搬送手段の動作を制御する制御部と、
を有し、
前記先端検知手段は、前記シート幅方向において前記搬送手段とずれた位置に配置され、
前記制御部は、前記サイズ検知手段により検知されたシートサイズに応じ、前記給送回転体により給送されるシートが前記先端検知手段の検知領域を通過するサイズの場合は前記先端検知手段による検知に基づいて第１の駆動制御を行い、給送されるシートが前記検知領域を通過しないサイズの場合は前記先端検知手段による検知に基づかない第２の駆動制御を行うことを特徴とするシート給送装置。
【請求項１３】
前記搬送手段は、シートを第１部材と第２部材でニップして搬送し、
前記先端検知手段は、前記第１部材と第２部材のニップ領域における前記シート幅方向の延長線上に位置する検知領域を通過するシートの先端を検知することを特徴とする請求項１２に記載のシート給送装置。
【請求項１４】
前記第１の駆動制御は、シート給送開始後の所定時間内に前記先端検知手段がシートを検知しない場合はシートを第１の速度で搬送し、前記所定時間内に前記先端検知手段がシートを検知した場合にはシートが所定位置に到達するまで前記第１の速度よりも遅い第２の速度で搬送することを特徴とする請求項１２又は請求項１３に記載のシート給送装置。
【請求項１５】
前記第１の駆動制御は、シート給送開始後の所定時間内に前記先端検知手段がシートを検知しない場合はシートを第１の速度で搬送し、前記所定時間内に前記先端検知手段がシートを検知した場合にはシート搬送を所定時間停止し、その後に前記第１の速度で搬送することを特徴とする請求項１２又は請求項１３に記載のシート給送装置。
【請求項１６】
前記第２の駆動制御は、シートを前記第１の速度よりも遅く、前記第２の速度よりも速い第３の速度で搬送することを特徴とする請求項１４に記載のシート給送装置。
【請求項１７】
前記第１の駆動制御及び前記第２の駆動制御は、前記搬送されるシートの先端が所定位置に到達するまでに先行するシートの後端との距離を所定範囲にする制御であることを特徴とする請求項１２乃至請求項１６のいずれか１項に記載のシート給送装置。
【請求項１８】
前記第１部材又は前記第２部材の少なくとも一方は、片持ち支持された支持軸に対して着脱可能に取り付けられたローラ部材であり、
前記先端検知手段は、前記ローラ部材の取り外し方向に前記支持軸の端部から前記ローラ部材の長さ以上離間した位置に配置されていることを特徴とする請求項１３に記載のシート給送装置。
【請求項１９】
シートを給送して前記シートに記載された情報を読み取る読取装置において、
請求項１乃至請求項１８のいずれか１項に記載のシート給送装置と、
給送されたシートに記載された情報を読み取る読取部と、
を有することを特徴とする読取装置。
【請求項２０】
シートを給送して前記シートに画像を形成する画像形成装置において、
請求項１乃至請求項１８のいずれか１項に記載のシート給送装置と、
給送されたシートに画像を形成する画像形成部と、
を有することを特徴とする画像形成装置。
【発明の詳細な説明】
【技術分野】
【０００１】
本発明は、載置部に載置されたシートを給送するシート給送装置及びこれを備えた読取装置並びに画像形成装置に関する。
【背景技術】
【０００２】
複写機やファクシミリ装置等に用いられる原稿搬送読取装置にあっては、シート載置部に載置されたシート（原稿）を給送回転体であるピックアップローラによって給送し、分離手段によって１枚ずつ分離して読取部へ給送する。そして、読取部においてシートに記載された画像を光学的に読み取った後、そのシートを排出部に排出する。
【０００３】
前記シートの給送に際し、載置部に載置されたシートにピックアップローラが常に当接していると、給送されたシートが分離部で分離される際にピックアップローラとシートとの接触圧により分離部での分離機能が阻害されるおそれがある。また、給送されたシートが下流側の搬送ローラ対により引き抜き搬送される際に前記接触圧が負荷となる。
【０００４】
そこで、ピックアップローラがシートに当接する給送位置と、トレイに載置されたシートから離間する退避位置とに移動可能に設ける。このピックアップローラにより送り出されたシート先端が所定位置に設けられたセンサによって検知されるとピックアップローラを退避位置へと移動する。そして、次に送り出すべきシートの送り出しのタイミングで再びシート上に当接させるように構成している（特許文献１）。
【先行技術文献】
【特許文献】
【０００５】
【特許文献１】特開２００１-１４６３２９
【発明の概要】
【発明が解決しようとする課題】
【０００６】
しかし、特許文献１の構成において、シート先端を検知するセンサの配置によっては、センサが必ずしもシート先端を検知できない場合もある。例えば、センサがシート幅方向（給送方向と直交する方向）の端部に置かれていた場合、シートの幅が短いシートを給送しようとするとセンサの検知領域を通過しないおそれがある。そのため、常にセンサを用いた制御を行おうとすると、センサの検知領域を通過しないシートの場合、不具合が発生するおそれがある。
【０００７】
本発明は上記点に鑑みてなされたものであり、その目的は、シートサイズに関わらず最適な制御を行うことが可能なシート給送装置及びこれを備えた読取装置並びに画像形成装置を提供するものである。
【課題を解決するための手段】
【０００８】
上記目的を達成するための本発明に係る代表的なシート給送装置の構成は、給送されるシートの給送方向と直交するシート幅方向のサイズを検知するサイズ検知手段と、載置部に載置されたシートを給送する給送回転体と、前記給送回転体により給送されたシートを搬送する搬送手段と、を有する搬送機構と、前記搬送手段に到達したシートの先端を検知する先端検知手段と、前記搬送機構を制御する制御部と、を有し、前記先端検知手段は、前記シート幅方向において前記搬送手段とずれた位置に配置され、前記制御部は、前記サイズ検知手段により検知されたシートサイズに応じ、前記給送回転体により給送されるシートが前記先端検知手段の検知領域を通過する場合は前記搬送機構を前記先端検知手段の検知に基づく第１の制御で制御し、給送されるシートが前記検知領域を通過しない場合は前記先端検知手段の検知に基づかない前記搬送機構を第２の制御で制御することを特徴とする
【発明の効果】
【０００９】
本発明によれば、シートサイズにかかわらず、最適な制御を行うことが可能なシート給送装置及びこれを備えた読取装置並びに画像形成装置を提供することができる。
【図面の簡単な説明】
【００１０】
【図１】読取装置の模式断面図である。
【図２】載置部の斜視説明図及び内部の説明図である。
【図３】シート給送装置の断面説明図である。
【図４】シート給送装置の上視図である。
【図５】ピックアップローラの移動制御ブロック図である。
【図６】通常モードにおけるピックアップローラの動作制御のフローチャートである。
【図７】混載モードにおけるピックアップローラの動作制御のフローチャートである。
【図８】第２実施形態に係る画像形成装置の断面模式図である。
【図９】第２実施形態に係るシート給送装置の正面模式図である。
【図１０】第２実施形態に係るシート給送装置の上面模式図である。
【図１１】第２実施形態に係る制御ブロックの模式図である。
【図１２】第２実施形態における制御フローチャートである。
【図１３】第２実施形態における第１の駆動制御のダイアグラム図である。
【図１４】第２実施形態における第２の駆動制御のダイアグラム図である。
【図１５】第２実施形態の変形例１における第１の駆動制御のダイアグラム図である。
【図１６】第２実施形態の変形例１における制御フローチャートである。
【発明を実施するための形態】
【００１１】
〔第１実施形態〕
次に本発明の実施形態に係るシート給送装置について、これを備えた読取装置とともに説明する。
【００１２】
＜読取装置＞
図１は第１実施形態に係る読取装置Ａの断面模式説明図である。読取装置Ａの構成について、原稿読み取り動作とともに説明すると、シート状の原稿を積載載置する載置部１に複数枚のシート（原稿）をセットし、これを後述するシート給送装置Ｂによって１枚ずつ分離給送する。給送されたシートは搬送ローラ対１００，１０１，１０２によって第１プラテン１０３上を通過する際に第１読取部１０４によってシートの一方面に記載された情報が光学的に読み取られる。
【００１３】
その後、シートは搬送ローラ対１０５によって搬送され、第２プラテン１０６上を通過する際に第２読取部１０７によって他方面に記載された情報が光学的に読み取られ、排出ローラ対１０８によって排出部１０９に排出される。
【００１４】
また、第１読取部１０４は第３プラテン１１０に沿って移動可能に設けられており、第３プラテン１１０上に載置された厚みのある書籍等を読み取ることも可能となっている。
【００１５】
＜シート給送装置＞
シート給送装置は、載置部１に載置されたシートを給送する給送回転体と、これにより給送されたシートを分離給送する分離搬送手段とからなる搬送機構を有している。そして、図２に示すように、シートを積載載置する載置部１にシート幅方向（給送方向と直交する方向）にスライド可能な規制部材２が配置されている。この規制部材２は載置部１に載置されたシートの幅方向の両端を規制することでシート給送時に幅方向の位置を揃えて原稿を給送できるようにしたものである。なお、本実施形態の左右の規制部材２は、シートの幅方向に対称的に移動可能となっており、給送されるシートの幅方向中央が給送中央となるように、シート位置を規制する。
【００１６】
（シートサイズ検知手段）
また、前記載置部１には、前記規制部材２の位置を検知可能なシート幅検知センサ３が設けられている。このシート幅検知センサ３はシート幅に応じて移動する規制部材２の位置を検知することにより、シートの幅方向サイズを検知するサイズ検知手段を構成するものである。
【００１７】
また、載置部１にはシート給送方向に複数（本実施形態では２個）のシート長検知センサ４ａ，４ｂが配置されている。このシート長検知センサ４ａ，４ｂは載置部１に載置されるシートの給送方向長さに応じた位置に設けられ、載置部１にシートを載置したときにシート後端の位置に応じた各センサの検知信号により、シート給送方向のサイズを検知する。
【００１８】
上記シート幅検知センサ３及びシート長検知センサ４ａ，４ｂにより、載置部１に載置されたシートがどのようなサイズのものかを検知可能となっている。
【００１９】
（ピックアップローラ）
前記載置部１の原稿給送方向下流側には載置部に載置されたシートに給送力を付与する給送回転体であるピックアップローラ５が設けられている。このピックアップローラ５は、図１に示すように、支持部材６の一方側端部に回転可能に取り付けられている。
【００２０】
支持部材６はピックアップローラ５を給送位置と退避位置に移動可能に支持する移動手段を構成するものであり、ピックアップローラ５を取り付けた端部と反対側の他方側端部が駆動軸７に取り付けられ、駆動軸７を中心にして回動可能になっている。ピックアップローラ５は原稿を給送しないときは、図１に示すように、載置部１から上方に移動して待機している。
【００２１】
そして、載置部１にシートＤがセットされ、給送信号を受けると駆動軸７が回転して支持部材６が時計回りに回転し、図３（Ａ）に示すように、ピックアップローラ５が載置部１に積載されたシートＤに当接する給送位置に移動する。一方、シート給送動作が終了すると、駆動軸７が前記と逆方向に回転して支持部材６が反時計回りに回転し、図３（Ｂ）に示すように、ピックアップローラ５は上昇してシートＤから離間した退避位置に移動する。
【００２２】
（分離部）
前記ピックアップローラ５のシート給送方向下流にはピックアップローラ５によって給送されたシートＤを１枚ずつに分離して搬送する分離部８が設けられている。この分離部８は、給送されたシートを下流へ搬送する方向に回転する第１部材である分離ローラ８ａと、前記シートをシート給送方向の上流に戻す方向に回転する第２部材であるリタードローラ８ｂとによって構成されている。
【００２３】
前記分離ローラ８ａとリタードローラ８ｂが接触したニップ領域に複数枚のシートが重送して搬送された場合には、リタードローラ８ｂが重送された２枚目以下のシートを搬送方向上流側に戻す働きをする。なお、リタードローラ８ｂには図示しないトルクリミッタが設けられており、前記ニップ領域にシートが存在しない場合や、重送せずに１枚のシートが搬送された場合にはリタードローラ８ｂは分離ローラ８ａの回転に追従するようになっている。
【００２４】
前記のように分離部８は分離ローラ８ａとリタードローラ８ｂとによってシートを１枚ずつに分離しながら両ローラでシートをニップして下流側に搬送する搬送手段としても機能している。
【００２５】
ここで、前記分離ローラ８ａ及びリタードローラ８ｂは弾性部材で形成されているため、前記ニップ領域は、図３（Ａ）に示すニップ位置上流端８ｃからニップ位置下流端８ｄまでにわたってある幅のニップ領域Ｎを有している。
【００２６】
（先端検知センサ）
シート給送装置Ｂには給送されたシートの先端が前記分離ローラ８ａとリタードローラ８ｂのニップ領域Ｎに到達したことを検知するための先端検知手段が設けられている。この先端検知手段は、図３及び図４に示すように、シートの有無によりオン、オフする先端検知センサ９により、給送されたシートの先端が先端検知センサ９の位置を通過したか否かを検知し、これによってシートの先端を検知するものである。
【００２７】
前記先端検知センサ９は、前記分離ローラ８ａと前記リタードローラ８ｂとのニップ領域Ｎにおける前記シート幅方向の延長線Ｌ（図４参照）上に位置に配置されており、この先端検知センサ９上を通過するシートの先端を検知する。したがって、先端検知センサ９は給送されるシートの先端が前記ニップ領域Ｎに到達したときに、これを検知することができる。
【００２８】
前記先端検知センサ９のシート幅方向の配置に関しては、本実施形態のように中央基準によりシート位置を規制して給送する構成にあっては、シート幅方向の中心に配置することが好ましい。シート幅方向の中心に配置すれば、シートサイズが小さくても給送されるシートは必ず先端検知センサ９上を通過することになり、シートサイズにかかわらずシート先端が分離部のニップ領域Ｎに到達したことを検知することが可能となる。
【００２９】
しかし、実際には分離ローラ８ａやリタードローラ８ｂ、支持部材６などの可動部が存在するため、先端検知センサ９をシート給送領域の幅方向中央に配置することは困難である。そこで、本実施形態では先端検知センサ９を、図４に示すように、搬送されるシートの幅方向中央からずれた位置であって、支持部材６よりもシート幅方向外側に配置している。
【００３０】
先端検知センサ９を前述のように支持部材６よりもシート幅方向外側に配置しているために、例えばＡ３サイズやＡ４サイズのようにシート幅が大きいサイズのシートは先端検知センサ９の検知領域を通過するために、シート先端を検知することができる。しかし、Ａ５Ｒなどのようにシート幅が小さいサイズのシートは先端検知センサ９による検知領域を通過しないために先端検知センサ９によってシート先端を検知することができない。
【００３１】
本実施形態のシート給送装置にあっては、ピックアップローラ５によって給送されたシートの先端が前記先端検知センサ９により検知されたタイミングでピックアップローラ５を退避位置に移動させる。しかし、前記のように給送されるシートのサイズによっては先端検知センサ９で検知されない場合がある。そこで、本実施形態ではピックアップローラ５の退避位置への移動をシートサイズに応じて制御するようにしている。
【００３２】
＜ピックアップローラの移動制御＞
前述したように、分離ローラ８ａとリタードローラ８ｂとによって重送されたシートを分離しているときに、ピックアップローラ５が給送位置にあって自重によって載置部上のシートに載っていると分離不良を生ずるおそれがある。このため、シートが分離部８において分離されるときにピックアップローラ５を退避位置へ移動させるように制御している。
【００３３】
次にピックアップローラの退避制御構成について説明する。図５はピックアップローラを移動させる制御部の構成を示すブロック図である。
【００３４】
図５に示すように、ピックアップローラ５の移動制御をするための制御部１０は、前述したシート幅検知センサ３、シート長検知センサ４ａ，４ｂ、先端検知センサ９からの検知信号を入力する。さらに、制御部１０は、載置部１上のシートの有無を検知するためのシート検知センサ１１（図２（Ａ）参照）、給送されるシートの後端を検知するために分離部８の下流に配置された後端検知センサ１２（図３、図４参照）からの検知信号を入力する。さらに、制御部１０は操作パネル等の入力手段１３からユーザが入力した情報を入力する。
【００３５】
制御部１０は、前記各入力信号に応じてピックアップローラ５を移動させる支持部材６を回動するための駆動モータ１４の駆動信号を出力する。
【００３６】
次に上記制御部１０によるピックアップローラ５の移動制御動作について、図６及び図７のフローチャートを参照して説明する。
【００３７】
原稿読み取りのため、制御部１０がシート給送信号を受けると、給送モードが混載モードか否かを判定する（Ｓ１）。混載モードとは、載置部１にシート幅が異なる複数枚のシートが混ざった状態で載置され、これを連続して読み取るモードであり、ユーザが入力手段１３から入力することにより設定される。ユーザによる混載モードとしての入力がない場合は、載置部１にシート幅が同じ複数枚のシートが載置されている通常モードとして給送される。なお、前記混載モードの場合の給送動作については後述する。
【００３８】
（通常モードによる給送制御）
通常モードとして給送された場合は、図６に示すように、シート幅検知センサ３、シート長検知センサ４ａ，４ｂによる検知信号からシートサイズが検知される（Ｓ２）。そして、駆動モータ１４が動作してピックアップローラ５を下降させて給送位置へと移動し（Ｓ３）、ピックアップローラ５が駆動回転してシートの給送動作を開始する（Ｓ４）。
【００３９】
給送動作の開始に際し、制御部１０は前記検知したシートサイズから給送されるシートが先端検知センサ９による検知領域を通過するサイズか否かを判定する（Ｓ５）。シートが前記検知領域を通過するサイズと判定した場合は、給送されたシートの先端が先端検知センサ９によって検知されたときに（先端検知センサＯＮ）（Ｓ６）、支持部材６を回動させてピックアップローラ５を退避位置へと移動させる（Ｓ８）。
【００４０】
前述したように先端検知センサ９は、シート給送方向において分離ローラ８ａとリタードローラ８ｂのニップ領域Ｎと同じ領域に配置されている。このため、ピックアップローラ５は給送されたシートの先端が前記ニップ領域Ｎに到達すると退避位置へ移動する。よって、シートが分離部８において分離されるときはシートから離間して退避しているために、ピックアップローラ５のシート当接による負荷がなくなり的確な分離が行われる。
【００４１】
一方、給送されたシートサイズが前記検知領域を通過しないと判定された場合には、ピックアップローラ５によるシート給送開始から所定時間経過後にピックアップローラ５を退避位置へ移動させる（Ｓ７、Ｓ８）。前記所定時間は、ピックアップローラ５によるシートの給送動作の開始から給送されたシートの先端が前記ニップ領域Ｎに到達するまでの時間である。この所定時間は、ピックアップローラ５の回転速度、載置部１にセットされたシート先端から前記ニップ領域Ｎまでの距離等から予め設定されている。
【００４２】
これにより、先端検知センサ９による検知領域を通過しないサイズのシートであっても、シート先端が分離部のニップ領域Ｎに到達するとピックアップローラ５が退避位置へ移動する。このため、ピックアップローラ５のシート当接による負荷がなくなり的確な分離が行われる。
【００４３】
なお、本実施形態では載置部１にシートをセットするときにシート先端が所定の位置にあるように、シートセット時にシート先端を突き当てるストッパ（不図示）を設けている。このストッパは、ピックアップローラ５が退避位置にあるときはシート給送路を閉じて載置部１に載置するシートの先端を突き当て可能な位置にある。そして、ピックアップローラ５が給送位置に移動するときの支持部材６の回動に連動して移動して給送路を開くように構成されている。
【００４４】
そして、分離部８で分離されたシートが分離ローラ８ａによって搬送され、そのシート後端が後端検知センサ１２によって検知されると（後端検知センサＯＮ）（Ｓ９）、載置部１に次のシートがあるときはステップＳ３へ戻る。そして、ピックアップローラ５により次のシート給送を実行する（Ｓ１０）。
【００４５】
上記のように、前記シートサイズに応じて前記ピックアップローラ５を退避させるためのトリガを、先端検知センサ９の検知信号と、予め定められた時間とで切り替える。このようにすることによって、先端検知センサ９の検知領域を通過しないようなシートが搬送される場合であってもピックアップローラ５の退避タイミングをより精度良く制御することが可能である。これにより、リタードローラ８ｂによる戻し効果を最大限発揮することができる。
【００４６】
（混載モードによる給送制御）
次にユーザによって混載モードが選択された場合の給送制御について、図７のフローチャートを参照して説明する。
【００４７】
制御部１０は混載モードが選択されてシート給送信号を受けると、ピックアップローラ５を下降させて給送位置へと移動し（Ｓ１１）、ピックアップローラ５が駆動回転してシートの給送動作を開始する（Ｓ１２）。
【００４８】
混載モードの場合は、シート幅が異なるシートが混載されているために先端検知センサ９による検知ができる場合と、できない場合がある。
【００４９】
本実施形態では、混載モードの場合は、給送動作の開始からピックアップローラ５によって給送されたシート先端が分離ローラ８ａとリタードローラのニップ領域に到達するために必要な予め定められた所定時間経過後にピックアップローラ５を退避位置に移動させるようにする（Ｓ１３、Ｓ１５）。ただし、混載モードの場合には、先端検知センサ９の検知領域を通過するサイズのシートが給送される場合もある。そこで、本実施形態では、給送開始から所定時間経過後にピックアップローラ５を退避位置に移動するだけでなく、給送されたシート先端が前記所定時間の経過前に先端検知センサ９によって検知された場合には、該センサによる検知信号を優先し、該検知信号に基づいてピックアップローラ５を退避位置まで移動させるようにしている（Ｓ１３、Ｓ１４、Ｓ１５）。
なお、混載モードの場合はシート幅検知センサ３の検知結果にかかわらず、給送動作の開始からピックアップローラ５によって給送されたシート先端が分離ローラ８ａとリタードローラのニップ領域に到達するために必要な予め定められた所定時間経過後にピックアップローラ５を退避位置に移動させるようにしてもよい。
【００５０】
ピックアップローラ５の退避位置への移動を給送開始からの時間によって制御する場合、載置部１にセットされたシート先端部の位置のばらつきや、ピックアップローラ５とシート間に発生する滑りなどの影響により、前記所定時間には誤差が生じることがある。一方、先端検知センサ９によりシート先端が検知された場合には、そのシート先端は必ず前記ニップ領域にある。そして、シートが混載された場合であっても、全てのシートが先端検知センサ９の検知領域を通過しない状況は少ない。
【００５１】
従って、混載モードにあっても先端検知センサ９の検知領域を通過するシートに関しては、前記所定時間の経過前に先端検知センサ９によりシート先端が検知されたときは、前記先端検知センサ９のセンサ信号に基づいて前記ピックアップローラ５を退避させる。このようにすることで、サイズが異なるシートが混載された場合においても、ピックアップローラ５の退避タイミングをより精度良く制御することが可能である。
【００５２】
前記のようにしてピックアップローラ５が退避位置に移動した後は、分離部８で分離されたシートが分離ローラ８ａによって搬送され、そのシート後端が後端検知センサ１２によって検知されると（後端検知センサＯＮ）（Ｓ１６）、載置部１に次のシートがあるときはステップＳ１１へ戻ってピックアップローラ５により次のシート給送を実行する（Ｓ１７）。
【００５３】
〔第１実施形態の変形例〕
前述した実施形態では、混載モードの場合に、ピックアップローラ５による給送開始から所定時間経過する前に先端検知センサ９がシート先端を検知したときは、その検知信号に応じてピックアップローラ５を退避させるように制御した。しかし、先端検知センサ９による検知によらず、ピックアップローラ５による給送開始から所定時間経過した場合のみピックアップローラ５を退避位置に移動させるように制御してもよい。この場合でも、リタードローラ８ｂによる戻し効果を発揮することができる。
【００５４】
また、前述した実施形態では、分離部の構成として分離ローラ８ａとリタードローラ８ｂによるリタード分離方式を例示した。しかし、リタードローラに代えてシートを分離ローラに押圧する分離部材である分離パッドを用いた構成にしてもよい。この場合でも分離ローラと分離パッドとのニップ領域にシートが到達した時点でピックアップローラ５を退避位置に移動させることにより前述した実施形態と同様の効果を得ることができる。
【００５５】
さらに、前述した実施形態ではピックアップローラ５によって給送されたシートを下流へ搬送する搬送手段として分離部を例示した。しかし、搬送手段としては分離機構でなくても、例えばピックアップローラ５によって給送されるシートをシート給送方向の下流へ搬送する方向に回転する引き抜きローラ対等の搬送ローラ対であってもよい。このような場合でもシート先端が引き抜きローラ対のニップ領域に到達した時点でピックアップローラ５を退避させることにより、引き抜きローラ対で搬送されるシートにピックアップローラ５のシート当接による負荷をなくすことができる。
【００５６】
また、本実施形態では、前記先端検知センサ９は、前記分離ローラ８ａと前記リタードローラ８ｂとのニップ領域Ｎにおける前記シート幅方向の延長線上に位置に配置しているがこれに限られるものではない。ニップ領域Ｎの近傍であればニップ領域Ｎのシート搬送方向下流の位置であってもよい。
【００５７】
また、前述した実施形態ではシート給送装置として、原稿を読取部に給送して原稿情報を読み取る読取装置を例示した。しかし、前述した構成のシート給送装置によりシートを画像形成部に給送し、画像形成部においてシートに画像を形成する画像形成装置にあっても用いることができる。
【００５８】
〔第２実施形態〕
次に本発明の第２実施形態について説明する。この実施形態のシート給送装置は、画像形成部へシートを給送する画像形成装置に用いられている例で説明する。
【００５９】
＜画像形成装置の全体構成＞
図８は本実施形態に係る画像形成装置の一例であるフルカラーレーザビームプリンタの概略構成を示す図である。図８において、２０１はフルカラーレーザビーム複写機、２０１Ａは画像形成装置本体であるプリンタ本体、２０１Ｂはシートに画像を形成する画像形成部、２２０は定着部である。２０２はプリンタ本体２０１Ａの上方に略水平に設置された上部装置である画像読取装置であり、この画像読取装置２０２とプリンタ本体２０１Ａとの間に、シート排出用の排出空間が形成されている。プリンタ本体下部には、シート給送部１０１を構成するシート給送装置が配置されている。
【００６０】
画像形成部２０１Ｂは、４ドラムフルカラー方式のものであり、レーザスキャナ２１０と、イエロー、マゼンタ、シアン及びブラックの４色のトナー画像を形成する４個のプロセスカートリッジ２１１を備えている。ここで、各プロセスカートリッジ２１１は、感光体ドラム２１２、帯電手段である帯電器２１３、現像手段である現像器２１４及び不図示のクリーニング手段であるクリーナを備えている。また、画像形成部２０１Ｂは、プロセスカートリッジ２１１の上方に配された中間転写ユニット２０１Ｃを備えている。
【００６１】
中間転写ユニット２０１Ｃは、駆動ローラ２１６ａ及びテンションローラ２１６ｂに巻き掛けられた中間転写ベルト２１６を備えている。中間転写ベルト２１６は、各感光体ドラム２１２に接するように配置され、不図示の駆動部により駆動される駆動ローラ２１６ａにより矢印方向に回転する。また、中間転写ユニット２０１Ｃは、中間転写ベルト２１６の内側に設けられ、感光体ドラム２１２に対向した位置で中間転写ベルト２１６に当接する１次転写ローラ２１９を備えている。中間転写ユニット２０１Ｃの駆動ローラ２１６ａと対向する位置には、中間転写ベルト２１６上に形成されたカラー画像をシートに転写する２次転写部を構成する２次転写ローラ２１７が設けられている。中間転写ユニット２０１Ｃの上方には、各色のトナーを収容したトナーカートリッジ２１５が設けられている。
【００６２】
中間転写ベルト２１６に１次転写ローラ２１９によって正極性の転写バイアスを印加することにより、感光体ドラム２１２上の負極性を持つ各色トナー像が順次中間転写ベルト２１６に多重転写される。
【００６３】
シート給送装置により給送されたシートは、レジストレーションローラ対２４０に搬送され、このレジストレーションローラ対２４０によって斜行が補正される。そして、シートは、レジストレーションローラ対２４０により、中間転写ベルト２１６に形成されたカラー画像とシートの先端とが一致するタイミングで２次転写部に搬送され、中間転写ベルト２１６上のトナー像が転写される。
【００６４】
トナー像が転写されたシートは、定着部２２０において熱及び圧力を受けてシートにカラーの画像として定着される。画像が定着されたシートＰは、排紙ローラ対２２５によって排出空間に排出されて積載される。なお、シートの両面に画像を形成する際は、画像が定着された後、シートＰは両面反転部２０１Ｄに設けられた正逆転可能な反転ローラ対２２２により、再搬送通路Ｒに搬送され、この後、再度、画像形成部２０１Ｂに搬送される。
【００６５】
＜シート給送装置＞
次にシートを給送するためのシート給送装置Ｅについて図９を参照して説明する。シート収納庫２５に積載されたシートＳをピックアップするピックアップローラ２１と、ピックアップされたシートを搬送するフィードローラ２２、これと対向して複数枚のシートを１枚に分離するリタードローラ２３を備えた搬送機構を有している。前記フィードローラ２２とリタードローラ２３がシートを１枚ずつ分離して搬送する搬送手段として機能する。
【００６６】
シート収納庫２５は、シートＳを収納するシート収納部と、収納したシート位置を規制するサイド規制板および後端規制板と、収納したシートを給送可能な位置へ上昇させる中板を備える。
【００６７】
ピックアップローラ２１は、シート面に加圧された状態で回転することによって、シートＳを分離搬送手段へ送り出す。
【００６８】
使用されるシートの摩擦係数によりシート間に発生する摩擦力よりも必ず不図示のトルクリミッタの駆動伝達力（リミット値）が大きく設定されている。また、シートとフィードローラ２２との間の摩擦係数による摩擦力よりも不図示のトルクリミッタの駆動伝達力（リミット値）が小さく設定されている。そのため、分離部であるフィードローラ２２とリタードローラ２３とのニップ部（分離ニップ部）に入り込むシートＳが１枚の場合又はシートＳが入っていない場合には、リタードローラ２３がフィードローラ２２に連れ回りする。また、ニップ部内にシートＳが二枚以上入り込んだ場合には、リタードローラ２３は矢印Ｆに示すシート給送方向と逆方向に回転して、シートＳを１枚ずつ分離する。
【００６９】
リタードローラ２３はリタードローラホルダ軸２７を回動中心として回動し、フィードローラ２２側へ加圧される。フィードローラ２２によって送り出されたシートは、引抜ローラ対２９に受け渡され、さらにシート搬送路下流のレジストレーションローラ対２４０へ搬送される。
【００７０】
先端検知手段であるニップセンサ２４はフィードローラ２２とリタードローラ２３のニップ領域近傍でのシート先端を検知できる位置に配置されている。また、図１０に示すように、フィードローラ２２とリタードローラ２３はシート搬送方向と直交するシート幅方向の略中央に配置されている。そして、ニップセンサ２４は、シート搬送方向においては前記フィードローラ２２とリタードローラ２３のニップ領域と重なる位置にあり、シート幅方向においては前記フィードローラ２２とリタードローラ２３の配置領域と重ならない位置に配置されている。すなわち、ニップセンサ２４はシート幅方向においてはフィードローラ２２とリタードローラ２３それぞれを保持する軸の軸方向において、前記ローラ対とオフセットされた位置に配置されている。
【００７１】
そして、前記フィードローラ２２及びリタードローラ２３は、片持ち支持された支持軸に着脱可能に取り付けられ、前記ニップセンサ２４は前記ローラ部材の取り外し方向に前記支持軸の端部から前記ローラ部材の長さＬ以上離間した位置に配置されている。これにより、フィードローラ２２及びリタードローラ２３の交換時にニップセンサ２４が邪魔になることなく、ローラ交換を容易に行うことができる。
【００７２】
引抜センサ２６は、ニップセンサ２４のシート搬送方向下流側に設けられ、ニップセンサ２４よりもシート幅方向で中央寄りに配置される。また、引抜センサ２６はレジストレーションローラ対２４０よりもシート搬送路上流側に配置されている。また、レジストレーションローラ対２４０の近傍のシート搬送路上流側に下流センサ３０７（図８参照）が配置されている。
【００７３】
＜シート給送制御＞
次に本実施形態のシート給送制御について、図１１乃至図１４を参照して説明する。なお、図１１は制御構成のブロック図であり、図１２は制御手順を示すフローチャート、図１３及び図１４はシート給送制御のダイアグラム図である。
【００７４】
シート収納庫２５にセットされたシートＳのサイズは、図１１に示すシートサイズ入力手段４１０によって入力したサイズを制御部４０１が判別する。制御部４０１がシートサイズから判定したシート幅が、ニップセンサ２４で検出できるシート幅かを照合してニップセンサ検知サイズを判定する（Ｓ３０１）。すなわち、給送されるシートがニップセンサ２４の検知領域を通過するサイズか否かを判定する。
【００７５】
ステップＳ３０１において、シートがニップセンサ２４による検知領域を通過するサイズであると判定された場合には、給送されたシートの先端がニップセンサ２４により検知されたか否かを判別して搬送速度制御をする第１の駆動制御を実行する（Ｓ３０２）。
【００７６】
（第１の駆動制御）
前記第１の駆動制御は、シート給送開始後の所定時間内にニップセンサ２４がシート先端を検知しない場合は、シートを給送するピックアップローラ２１、フィードローラ２２、引抜ローラ対２９を駆動する駆動モータ４０３を制御し、第１の定常速度でシートを給送する（Ｓ３０３）。シート給送開始から所定時間内にシート先端がニップセンサ２４によって検知されないということは、シートがフィードローラ２２とリタードローラ２３の給送開始時にニップ部近傍にないため、通常の速度で給送する。そして、シート先端がレジストレーションローラ対２４０近傍の下流センサ３０７によってシート先端が検知されるまで所定の速度で搬送する（Ｓ３０５〜Ｓ３０７）。
【００７７】
一方、シート給送開始から所定時間内にニップセンサ２４がシート先端を検知した場合は、シートを前記第１の定常搬送速度よりも減速した第２の定常速度でシートを給送する（Ｓ３０４）。そして、給送されたシート先端が引抜センサ２６に検知された後は、レジストレーションローラ対２４０近傍の下流センサ３０７によってシート先端が検知されるまで所定の速度で搬送する（Ｓ３０５〜Ｓ３０７）。
【００７８】
シート給送開始から所定時間内にニップセンサ２４がシート先端を検知したということは、給送開始時にシート先端は前記ニップ部の近傍に位置していたことになる。このため、その場合はシート先端がニップセンサ２４に検知されてから引抜センサ２６に検知されるまでの間を第１の定常速度よりも遅い第２の定常速度で搬送する。
【００７９】
前述のようにシート給送速度を選択的にする制御により、図１３に示すように、引抜センサ２６の位置Ｐにおいて、次行シートの先端位置がシート収納庫端部付近Ａからの搬送の場合のシート先端Ｆ１と、分離部のニップ部近傍Ｂからの搬送の場合のシート先端ＮＦ２とが揃えられるように搬送される。これにより、次行シートの先端位置がシート収納庫端部付近Ａからの搬送の場合と、前記ニップ部近傍Ｂからの搬送の場合とで、搬送後のレジストレーションローラ対２４０または下流センサ３０７の位置Ｒにおける先行シートの後端Ｒ１と次行シートの先端Ｆ２の必要シート間時間Ｌｔを予め定められた所定範囲にできる。
【００８０】
（第２の駆動制御）
前記ステップＳ３０１において、シートがニップセンサ２４による検知領域を通過するサイズでないと判定された場合には、ニップセンサ２４による検知を用いずに搬送速度を制御する第２の駆動制御を実行する（Ｓ３０８）。
【００８１】
この第２の駆動制御は、シート給送開始からシート先端が引抜センサ２６により検知されるまで第３の定常速度で搬送する。この第３の定常速度は前記第１の定常速度よりも遅く、前記第２の定常速度よりも速い速度である。そして、シート先端が引抜センサ２６で検知された後は、所定の搬送速度でレジストレーションローラ対２４０まで搬送する。
【００８２】
シート先端がニップ部に到達したか否かをニップセンサ２４で検知できない場合は、図１４に示すように、給送開始時にシートの先端位置がシート収納庫端部付近Ａからの搬送の場合か、分離ニップ部近傍Ｂからの搬送の場合かを判別できない。このため、シートを前記第３の定常速度で給送することにより、次行シートの先端位置がシート収納庫端部付近Ａからの搬送の場合と、次行シートの先端位置が分離ニップ部Ｂからの搬送の場合とのいずれであっても、搬送後のレジストレーションローラ対の位置Ｒにおける先行シートの後端Ｒ１と次行シートの先端ＮＦ２のシート間時間Ｌｔを予め定められた所定範囲にできる。
【００８３】
そして、前記のように駆動制御することにより、シート搬送速度をむやみに速くすることなく搬送されるシート間を狭めることができ、消費エネルギーや騒音を増やすことなく生産性を挙げることができる。
【００８４】
なお、シート給送装置Ｅでのシート搬送は第１の駆動制御と第２の駆動制御ともに、搬送遅延の判定は引抜センサ２６で判定する。
【００８５】
〔第２実施形態の変形例１〕
次に図１５及び図１６を参照して第２実施形態の変形例について説明する。本例が前述した第２実施形態と異なる点は、第１の駆動制御において所定時間搬送を停止する点である。すなわち、前述した実施形態では給送開始から所定時間内にシート先端をニップセンサ２４が検知した場合の第１の駆動制御では、第１の定常速度よりも遅い第２の定常速度で搬送するようにした。これに対して、本例では給送開始から所定時間内にシート先端をニップセンサ２４が検知した場合の第１の駆動制御では、予め定められた所定停止時間Ｓｔの間シート搬送を停止させる（Ｓ３０９）。そして、所定時間停止後は、第１の定常搬送速度にて引抜ローラ対２９を経てレジストレーションローラ対２４０まで搬送する。
【００８６】
上記のようなに第１の駆動制御において、シート搬送を所定停止時間Ｓｔの間停止することにより、第２実施形態における速度を減速して搬送する場合と同様の効果を得ることができる。すなわち、引抜センサ２６の位置Ｐにおいて、次行シートの先端位置がシート収納庫端部付近Ａからの搬送の場合のシート先端Ｆ１と、次行シートの先端位置が分離ニップ部近傍Ｂからの搬送の場合シート先端ＮＦ２とが揃えられるように搬送される。これにより、搬送後のレジストレーションローラ対の位置Ｒにおける先行シートの後端Ｒ１と次行シートの先端Ｆ２のシート間時間Ｌｔを予め定められた所定範囲にできる。
【００８７】
〔第２実施形態の変形例２〕
第１の駆動制御と第２の駆動制御における定常搬送速度は異なっていても同じでも構わない。
【００８８】
また、第１の駆動制御における生産性に対し、第２の駆動制御における生産性は上回っていなくても構わない。第１の駆動制御の生産性を決めるシート間時間ＬＰ１と第２の駆動制御の生産性を決めるシート間時間ＬＰ２はＬＰ１≦ＬＰ２となる。なお、ＬＰ１およびＬＰ２は、先行シートの先端Ｆ１と次行シートの先端Ｆ２がレジストレーションローラ対の位置Ｐにおけるシート間時間である。
【００８９】
また、フィードローラ２２とリタードローラ２３のニップ近傍でのシート先端を検知できる検知手段は、シートＳを直接光学式で検出しても良いし、フラグなどシートＳを機械的に検出しても良い。
【００９０】
また、シートサイズ入力手段４０８は、装置操作部からのユーザー入力でも良いし、シート収納庫内のサイズ検知手段による検知であっても良い。
【符号の説明】
【００９１】
Ａ    …読取装置
Ｂ    …シート給送装置
Ｄ    …シート
Ｎ …ニップ領域
Ｅ    …シート給送装置
１    …載置部
２    …規制部材
３    …シート幅検知センサ
４ａ，４ｂ …シート長検知センサ
５    …ピックアップローラ
６    …支持部材
７    …駆動軸
８    …分離部
８ａ  …分離ローラ
８ｂ  …リタードローラ
８ｃ  …ニップ位置上流端
８ｄ  …ニップ位置下流端
９    …先端検知センサ
１０  …制御部
１１  …シート検知センサ
１２  …後端検知センサ
１３  …入力手段
１４  …駆動モータ
１００，１０１，１０２ …搬送ローラ対
２１  …ピックアップローラ
２２  …フィードローラ
２３  …リタードローラ
２４  …ニップセンサ
２５  …シート収納庫
２６  …引抜センサ
２７  …リタードローラホルダ軸
２９  …引抜ローラ対
２４０ …レジストレーションローラ対
３０７ …下流センサ
４０１ …制御部
４０３ …駆動モータ
【図１】
2020075820.tif 000003
【図２】
2020075820.tif 000004
【図３】
2020075820.tif 000005
【図４】
2020075820.tif 000006
【図５】
2020075820.tif 000007
【図６】
2020075820.tif 000008
【図７】
2020075820.tif 000009
【図８】
2020075820.tif 000010
【図９】
2020075820.tif 000011
【図１０】
2020075820.tif 000012
【図１１】
2020075820.tif 000013
【図１２】
2020075820.tif 000014
【図１３】
2020075820.tif 000015
【図１４】
2020075820.tif 000016
【図１５】
2020075820.tif 000017
【図１６】
2020075820.tif 000018
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
シートが積載される積載部と、
前記積載部に積載されたシートを給送方向に給送するピックアップローラと、
フィードローラと、前記フィードローラに接触してニップ領域を形成するリタードローラとを有し、前記ピックアップローラにより給送されたシートを前記分離ニップにおいて１枚ずつに分離して搬送する分離搬送部と、
前記分離搬送部におけるニップ領域における前記給送方向に直交するシートの幅方向の延長線上に位置する検知領域を通過するシートの先端を検知する先端検知センサと、
前記先端検知センサの検知信号に基づいて前記ピックアップローラ及び前記フィードローラの駆動を制御する駆動制御部と、
を有することを特徴とするシート給送装置。
【請求項２】
前記給送ローラを支持する支持部材を有し、
前記先端検知センサは、搬送されるシートの前記幅方向中央からずれた位置であって、前記支持部材よりも前記シートの幅方向外側に配置していることを特徴とする請求項１に記載のシート給送装置。
【請求項３】
前記フィードローラ及び前記リタードローラは、それぞれ、片持ち支持された支持軸に着脱可能に取り付けられることを特徴とする請求項１又は２に記載のシート給送装置。
【請求項４】
前記駆動制御部は、シートの給送開始時に、前記先端検知センサにより当該シートの先端が検知されていない場合には、第１の定常速度となるように前記ピックアップローラ及び前記フィードローラを駆動し、シートの給送開始時に、前記先端検知センサにより当該シートの先端が検知されている場合は、前記第１の定常速度よりも減速した第２の定常速度で前記ピックアップローラ及び前記フィードローラを駆動することを特徴とする請求項１乃至３の何れか１項に記載のシート給送装置。
【請求項５】
前記載置部に載置されたシートの前記幅方向における位置を規制するサイド規制板と、
前記サイド規制板の位置に基づいて前記シートの前記幅方向における長さであるシート幅を検知する検知部と、
前記駆動制御部は、前記検知部により検知されたシートの前記幅方向における長さが所定長さより短い場合は、前記先端検知センサの検知信号に基づかずに前記給送ローラの駆動を制御することを特徴とする請求項１乃至４の何れか１項に記載のシート給送装置。
【請求項６】
シートのサイズを入力するシートサイズ入力手段を有し、
前記駆動制御部は、前記サシートサイズ入力手段によって入力されたシートのサイズが、前記先端検知センサで検出できないシートのサイズである場合、前記先端検知センサの検知信号に基づかずに前記給送ローラの駆動を制御する請求項１乃至５の何れか１項に記載のシート給送装置。
【請求項７】
前記フィードローラから受け取ったシートを前記搬送方向下流に搬送する引抜ローラを更に有することを特徴とする請求項１乃至６の何れか１項に記載のシート給送装置。
【請求項８】
前記先端検知センサよりも前記シート搬送方向において下流且つ前記シート幅方向において中央寄りに配置された、シートの位置を検知する引抜センサと、
を有し、
前記駆動制御部は、前記引抜センサにより検知結果に基づいてシートの搬送遅延を判定することを特徴とする請求項７に記載のシート給送装置。
【手続補正３】
【補正対象書類名】明細書
【補正対象項目名】０００１
【補正方法】変更
【補正の内容】
【０００１】
本発明は、載置部に載置されたシートを給送するシート給送装置に関する。
【手続補正４】
【補正対象書類名】明細書
【補正対象項目名】０００７
【補正方法】変更
【補正の内容】
【０００７】
本発明は上記点に鑑みてなされたものであり、その目的は、シートサイズに関わらず最適な制御を行うことが可能なシート給送装置を提供するものである。
【手続補正５】
【補正対象書類名】明細書
【補正対象項目名】０００８
【補正方法】変更
【補正の内容】
【０００８】
上記目的を達成するための本発明に係る代表的なシート給送装置の構成は、シートが積載される積載部と、前記積載部に積載されたシートを給送方向に給送するピックアップローラと、フィードローラと、前記フィードローラに接触してニップ領域を形成するリタードローラとを有し、前記ピックアップローラにより給送されたシートを前記分離ニップにおいて１枚ずつに分離して搬送する分離搬送部と、前記分離搬送部におけるニップ領域における前記給送方向に直交するシートの幅方向の延長線上に位置する検知領域を通過するシートの先端を検知する先端検知センサと、前記先端検知センサの検知信号に基づいて前記ピックアップローラ及び前記フィードローラの駆動を制御する駆動制御部と、を有することを特徴とする。
【手続補正６】
【補正対象書類名】明細書
【補正対象項目名】０００９
【補正方法】変更
【補正の内容】
【０００９】
本発明によれば、シートサイズにかかわらず、最適な制御を行うことが可能なシート給送装置を提供することができる。
【手続補正７】
【補正対象書類名】図面
【補正対象項目名】図１２
【補正方法】変更
【補正の内容】
【図１２】
2020075820.tif 000019
【手続補正８】
【補正対象書類名】図面
【補正対象項目名】図１６
【補正方法】変更
【補正の内容】
【図１６】
2020075820.tif 000020